(57)【要約】【課題】偽造、改ざん防止効果を向上させることを目的とした抽選券及び抽選券の製造方法を提供することを目的とする。【解決手段】基材上に、複数の文字、図形、記号、番号、絵柄等の抽選パターンが印刷された情報層が形成された抽選券であって、各前記抽選パターンが印刷された各領域に、前記抽選券の真偽を判定する真偽判定用パターンが夫々設けられることを特徴とする。また、各前記真偽判定用パターンが、各前記抽選パターンの部位に配されていることが好ましく、更に各前記真偽判定用パターンの組み合わせにより、前記抽選券の真偽を判定することが好ましい。【選択図】図２
2008137252.tif 000002
【特許請求の範囲】
【請求項１】
基材上に、複数の文字、図形、記号、番号、絵柄等の抽選パターンが印刷された情報層が形成された抽選券であって、
各前記抽選パターンが印刷された各領域に、前記抽選券の真偽を判定する真偽判定用パターンが夫々設けられることを特徴とする抽選券。
【請求項２】
各前記真偽判定用パターンが、各前記抽選パターンの部位に配されていることを特徴とする請求項１に記載の抽選券。
【請求項３】
各前記真偽判定用パターンの組み合わせにより、前記抽選券の真偽を判定することを特徴とする請求項１又は請求項２に記載の抽選券。
【請求項４】
前記真偽判定用パターンは、所定の色で構成されることを特徴とする請求項１乃至３のいずれか一項に記載の抽選券。
【請求項５】
前記情報層上に隠蔽層を更に設け、前記抽選パターンが前記隠蔽層により隠蔽されていることを特徴とする請求項１乃至４のいずれか一項に記載の抽選券。
【請求項６】
前記隠蔽層は、剥離性を有する材料から成ることを特徴とする請求項５に記載の抽選券。
【請求項７】
基材上に、複数の文字、図形、記号、番号、絵柄等の抽選パターンが印刷された情報層が形成された抽選券の製造方法であって
各前記抽選パターンが印刷された各領域に、前記抽選券の真偽を判定する真偽判定用パターンを形成する真偽判定用パターン形成工程を有することを特徴とする抽選券の製造方法。
【請求項８】
前記真偽判定用パターン形成工程は、各前記真偽判定用パターンを、各前記抽選パターンの部位に配して形成することを特徴とする請求項７に記載の抽選券の製造方法。
【請求項９】
各前記真偽判定用パターンの組み合わせにより、前記抽選券の真偽を判定することを特徴とする請求項７又は請求項８に記載の抽選券の製造方法。
【請求項１０】
前記真偽判定用パターンは、所定の色で構成されることを特徴とする請求項７乃至９のいずれか一項に記載の抽選券の製造方法。
【請求項１１】
前記抽選パターンを隠蔽するための隠蔽層を前記情報層上に更に形成する隠蔽層形成工程を有することを特徴とする請求項７乃至１０のいずれか一項に記載の抽選券の製造方法。
【請求項１２】
前記隠蔽層形成工程は、前記隠蔽層を、剥離性を有する材料により形成することを特徴とする請求項１１に記載の抽選券の製造方法。
【発明の詳細な説明】
【技術分野】
【０００１】
本発明は、基材上に文字や図形等によって抽選パターンが印刷された抽選券及び抽選券の製造方法に関し、特に当該情報の改ざん防止効果を向上させた抽選券及び抽選券の製造方法に関する。
【背景技術】
【０００２】
各種くじや有価証券の番号、文字、パターン等の抽選パターンにより当たり、ハズレが決定される抽選券、馬券、入場券、ゲーム券等の抽選券（くじ券）が知られている。
【０００３】
しかし、これら複数のハズレ券を用いて、番号や文字、パターン等の抽選パターンを貼り変えたり、修正してハズレ券を当たり券かの如く改ざんする偽造が発生していた。
【０００４】
そのため、これらのくじ券にはラインパターン等の地紋、細紋等の偽造防止印刷を施したり、特殊インキによる印刷で偽造防止が図られている。
【０００５】
また、抽選パターン上を隠蔽層で覆い隠し、利用者がくじ券を購入後に隠蔽層を削り取り、印刷された抽選パターンの内容識別により当たり券かハズレ券かを確認できるスクラッチカード等の被覆式抽選券が実用化されている（特許文献１参照）。
【特許文献１】特開２００２-５２８７４号公報
【発明の開示】
【発明が解決しようとする課題】
【０００６】
上述したように、偽造防止のためくじ券にラインパターン等の地紋、細紋等の印刷を施すためには、ラインパターンや彩紋を印刷する印刷ユニットが必要になり、製造コストが増加するという不都合があった。それだけでなく、彩紋等のパターンは、目視確認が可能で偽造される可能性が残る。例えば、このようなラインパターンは、一定の割合で同一のラインパターンや彩紋が存在するため、切り貼りした部分の彩紋やパターンが合致してしまう可能性もある。
【０００７】
本発明は、上記の問題に鑑みなされたものであり、抽選券に印刷された抽選パターンの偽造、改ざん防止効果を向上させることを目的とした抽選券及び抽選券の製造方法を提供する。
【課題を解決するための手段】
【０００８】
上記課題を解決すべく、請求項１に記載の抽選券は、基材上に、複数の文字、図形、記号、番号、絵柄等の抽選パターンが印刷された情報層が形成された抽選券であって、各前記抽選パターンが印刷された各領域に、前記抽選券の真偽を判定する真偽判定用パターンが夫々設けられることを特徴とする抽選券である。
【０００９】
この発明によれば、抽選券の抽選パターンが印刷された各領域に抽選券の真偽を判定する真偽判定用パターンを夫々設けることによって、該真偽判定用パターンを確認することにより、複数のハズレ券を用いて、番号や文字、パターン等の抽選パターンを貼り変えたり、修正してハズレ券を当たり券かの如く改ざんする偽造を効果的に防止できる。
【００１０】
上記課題を解決すべく、請求項２に記載の抽選券は、請求項１に記載の抽選券において、各前記真偽判定用パターンが、各前記抽選パターンの部位に配されていることを特徴とする抽選券である。
【００１１】
この発明によれば、抽選パターンの部位に真偽判定用パターンが施されるためより効果的に偽造を防止することができる。
【００１２】
上記課題を解決すべく、請求項３に記載の抽選券は、請求項１又は請求項２に記載の抽選券において、各前記真偽判定用パターンの組み合わせにより、前記抽選券の真偽を判定することを特徴とする抽選券である。
【００１３】
この発明によれば、より厳密に偽造を防止することができる。
【００１４】
上記課題を解決すべく、請求項４に記載の抽選券は、請求項１乃至３のいずれか一項に記載の抽選券において、前記真偽判定用パターンは、所定の色で構成されることを特徴とする抽選券である。
【００１５】
上記課題を解決すべく、請求項５に記載の抽選券は、請求項１乃至４のいずれか一項に記載の抽選券において、前記情報層上に隠蔽層を更に設け、前記抽選パターンが前記隠蔽層により隠蔽されていることを特徴とする抽選券である。
【００１６】
上記課題を解決すべく、請求項６に記載の抽選券は、請求項５に記載の抽選券において、前記隠蔽層は、剥離性を有する材料から成ることを特徴とする抽選券である。
【００１７】
上記課題を解決すべく、請求項７に記載の抽選券の製造方法は、基材上に、複数の文字、図形、記号、番号、絵柄等の抽選パターンが印刷された情報層が形成された抽選券の製造方法であって各前記抽選パターンが印刷された各領域に、前記抽選券の真偽を判定する真偽判定用パターンを形成する真偽判定用パターン形成工程を有することを特徴とする抽選券の製造方法である。
【００１８】
この発明によれば、当該凹凸パターンを確認することにより、複数のハズレ券を用いて、番号や文字、パターン等の抽選パターンを貼り変えたり、修正してハズレ券を当たり券かの如く改ざんする偽造を効果的に防止できる偽造防止抽選券を製造することができる。
【発明の効果】
【００１９】
本発明の抽選券及び抽選券の製造方法によれば、抽選券の抽選パターンが印刷された各領域に抽選券の真偽を判定する真偽判定用パターンを夫々設けることによって、該真偽判定用パターンを確認することにより、複数のハズレ券を用いて、番号や文字、パターン等の抽選パターンを貼り変えたり、修正してハズレ券を当たり券かの如く改ざんする偽造等を効果的に防止できる。
【発明を実施するための最良の形態】
【００２０】
本発明の抽選券及び抽選券の製造方法について、図面を参照して説明する。図１は、本発明の抽選券の断面図を示し、図２は、本発明の各実施形態の抽選券の正面図、隠蔽層を剥がした状態の正面図を示す。
【００２１】
（抽選券の層構成）
図１（ａ）に示すように、本発明の抽選券１０ａは、基材１１上に、文字、図形、記号、番号、絵柄等の抽選パターンが印刷された本発明の情報層の一例である隠蔽情報層１２が必須の構成として設けられ、隠蔽情報層１２に印刷された全ての抽選パターンの夫々の領域に、抽選券の真偽を判定する真偽判定用パターンが設けられる。また、同図に示すように、隠蔽情報層１２を保護する透明保護層１４がさらに設けられていてもよく、図１（ｂ）に示すように、本発明の抽選券１０ｂは、隠蔽層１３の下に、隠蔽層１３を剥離しやすくするために、剥離層１５がさらに設けられていてもよい。
【００２２】
以下に、本発明の抽選券を構成する各層について説明する。なお、本発明における上下の語は、図１における各断面図に示すように、基材１１を下側とし、他の隠蔽情報層１２、隠蔽層１３等を上側とした製造状態における上下を示す。また、以下においては各図に記載の抽選券を総称して抽選券１０ともいう。
【００２３】
基材１１は、隠蔽情報層１２等の各層をその上に積層する基材となるものである。基材の材料は、従来から隠蔽層付の抽選券、いわゆるスクラッチカードや通知はがき等に用いられている基材であれば特に限定されないが、具体的には、上質紙、中質紙、コート紙、合成紙、含浸紙、ラミネート紙、金属蒸着紙、印刷用塗工紙、記録用塗工紙等の紙、ポリエチレンテレフタレートフィルム、ポリエチレンフィルム、ポリプロピレンフィルム、ポリカーボネートフィルム等のプラスチックフィルム、金属箔、あるいはそれらの複合体等が用いられる。基材１１の材料は、抽選券１０に要求される強度や用途等に応じて適宜選択することができる。
【００２４】
隠蔽情報層１２は、文字、図形、記号、番号、絵柄等の抽選パターンと、該抽選券の真偽を判定するための真偽判定用パターンが印刷された層である。この抽選パターンとしては、あたり・はずれのくじであれば「あたり」、「はずれ」等の文字、数字や記号をあわせるくじであれば数字や記号、金額を知らせる通知であればその金額の数字など、用途に応じて種々の文字、図形、記号、番号、絵柄等の情報となる。真偽判定用パターンは、あたり・はずれのくじであれば「あたり」、「はずれ」毎に異なるパターンとする。
【００２５】
隠蔽情報層１２を形成する材料は、基材１１または図示しない隠蔽情報層１２の直下の層に密着できる材料であれば特に限定されないが、例えば、基材１１または隠蔽情報層１２の直下の層と異なる色の着色剤がバインダーとなる樹脂に含有されたものが用いられる。バインダー樹脂としては、公知のバインダー樹脂が用いられるが、例えば、ポリエステル樹脂、ウレタン樹脂、エポキシ樹脂、メラミン樹脂、アルキド樹脂、フェノール樹脂、アクリル樹脂等が用いられる。また、着色剤としては、公知の着色剤が用いられるが、例えば、酸化チタン、亜鉛華、カーボンブラック、酸化鉄、鉄黄、群青、メタリック顔料、パール顔料等が用いられる。
【００２６】
隠蔽情報層１２は、上述のバインダー樹脂及び着色剤を分散・混合させたインキを用いて印刷される。このインキの溶媒としては隠蔽情報層１２を形成する印刷方法に応じたものを使用すればよく、また、バインダー樹脂、着色層、インキの溶媒等の混合割合も特に限定されず、隠蔽情報層１２を適切に印刷できる混合割合とすればよい。隠蔽情報層１２用のインキには、これらの基本的な構成に加えて、他の添加物を添加することができる。また、上述のインキ以外にも、後述する印刷方法によってはトナー（着色粉末）やインクリボン等を使用することができる。
【００２７】
隠蔽情報層１２の形成方法は、上述のように印刷方法であれば特に限定されないが、例えば、シルクスクリーン印刷、サーマルヘッドによる感熱リボン転写による印刷、インキジェット印刷、レーザー等によるトナー転写方式による印刷、ドットインパクト方式による印刷、オフセット印刷、グラビア印刷、フレキソ印刷等が挙げられる。隠蔽情報層１２は、市販のインクジェットプリンタやレーザプリンタを用いて印刷を行い、形成することも可能である。
【００２８】
隠蔽層１３は、本発明の抽選券１０に任意に設けられるものであり、隠蔽情報層１２に印刷された抽選パターンと真偽判定用パターンを隠蔽するための層である。隠蔽層１３は、硬貨や爪で引っ掻くこと、セロハンテープを貼り付けて剥がすこと、端から全体を引き剥がすこと、等により抽選券１０の基材１１から剥離可能となっている。
【００２９】
隠蔽層１３の材料や形成方法等は、上述の隠蔽情報層１２と同様としてもよいし、従来の隠蔽層と同様の形成方法を用いてもよい。従来公知の隠蔽層１３を形成する材料としては、隠蔽情報層１２上に形成することができ、剥離可能な材料であれば特に限定されないが、着色剤がバインダー樹脂に含有されたものが用いられる。バインダー樹脂としては、公知のバインダー樹脂が用いられるが、例えば、ゴム系天然樹脂（天然ゴム，塩酸ゴム等）、ジエン系樹脂（ポリブタジエン，スチレン・ブタジエン共重合体、アクリロニトリル・ブタジエン共重合体，ポリイソプレン，ポリクロロプレン等）や、アクリル系樹脂、ビニル系樹脂等が用いられる。また、着色剤としては、隠蔽情報層１２に含有される公知の着色剤を用いることもできるし、例えば、下層の隠蔽性を得るために、金属系微粉末（アルミニウム微粉末，黄銅微粉末，銅微粉末等）やそれらの酸化微粉末等を用いることもできる。この着色剤としては、隠蔽性の観点からは金属系微粉末やその酸化微粉末を用いることが好ましい。
【００３０】
このような材料を用いた隠蔽層１３は、上述のバインダー樹脂及び着色剤を分散・混合させたインキまたは塗工液を用いて印刷または塗布される。このインキまたは塗工液の溶媒としては隠蔽層１３を形成する印刷方法、塗布方法に応じたものを使用すればよく、また、バインダー樹脂、着色層、インキまたは塗工液の溶媒等の混合割合も特に限定されず、隠蔽層１３を適切に印刷できる混合割合とすればよい。隠蔽層１３用のインキまたは塗工液には、これらの基本的な構成に加えて、他の添加物を添加することができる。
【００３１】
このような材料を用いた隠蔽層１３の形成方法は、上述のように印刷方法または塗布方法であれば特に限定されないが、例えば、シルクスクリーン印刷法、グラビアコート法、バーコート法、ロールコート法、オフセット印刷法、フレキソ印刷法等が挙げられる。
【００３２】
透明保護層１４は、本発明の抽選券１０に任意に設けられるものであり、隠蔽層１３が削られること等により剥離される際に、隠蔽情報層１２が一緒に剥離されないように保護する層である。
【００３３】
透明保護層１４を形成する材料は、形成した後に透明または半透明であり、人が外部から隠蔽情報を視認できるものであれば特に限定されないが、バインダー樹脂としてフェノール樹脂、キシレン樹脂、尿素樹脂、メラミン樹脂、ケトン樹脂、アルキッド樹脂、ポリアミド樹脂、アクリル樹脂、ポリ塩化ビニル樹脂、塩化ビニル／酢酸ビニル共重合樹脂、ポリ酢酸ビニル樹脂、ポリビニルアルコール樹脂、ポリビニルブチラール樹脂、ポリスチレン樹脂、エポキシ樹脂、ポリウレタン樹脂、その他にＵＶ硬化型樹脂、ＥＢ硬化型樹脂等の放射線硬化型樹脂を含有するインキ組成物や、ＯＰニス等が用いられる。また、透明保護層１４は、隠蔽情報層１２上にビニール貼りを行ったものでもよい。
【００３４】
透明保護層１４は、上述のバインダー樹脂を含有するインキ組成物を分散・混合させたインキやＯＰニスを用いて印刷または塗布される。このインキの溶媒としては透明保護層１４を形成する印刷方法に応じたものを使用すればよく、また、バインダー樹脂とインキの溶媒等の混合割合も特に限定されず、透明保護層１４を適切に印刷できる混合割合とすればよい。透明保護層１４用のインキには、これらの基本的な構成に加えて、他の添加物を添加することができる。
【００３５】
透明保護層１４の形成方法は、印刷方法や塗布方法であれば特に限定されないが、オフセット印刷法、シルクスクリーン印刷法、グラビア印刷法、フレキソ印刷法等が挙げられる。
【００３６】
剥離層１５は、本発明の抽選券１０に任意に設けられるものであり、隠蔽層１３が削られる等により剥離されやすくするために設けられる層である。剥離層１５は、隠蔽情報層１２又は透明保護層１４上に設けられ、剥離層１５の上部の隠蔽層１３が剥離されることとなる。隠蔽層１３の直下の層、例えば透明保護層１４が剥離性を有する場合には、剥離層１５は設けなくてもよい。
【００３７】
剥離層１５を形成する材料としては、上述の機能を有するものであれば特に限定されないが、例えば、ポリウレタン／アクリル樹脂、ポリアミド樹脂、ニトロセルロース樹脂に添加剤としてシリコンやワックス（ポリエチレンワックス等）を添加した剥離ニス等が用いられる。剥離層１５の形成方法も、特に限定されないが、スクリーン印刷法、グラビア印刷法、オフセット印刷法、フレキソ印刷法等の印刷方法が用いられる。
【００３８】
なお、本発明の抽選券１０を形成する各層の層厚は、特に限定されず、各層の機能を有する範囲で適宜設定される。本発明の抽選券１０には、図示しないが、上述の必須の層及び任意に設けられる層以外にさらに他の層を設けてもよい。
【００３９】
なお、本発明の抽選券１０の製造方法は、上述の各層の形成方法に示した通りであり、基材１１上に、文字、図形、記号、番号、絵柄等の抽選パターンが印刷された隠蔽情報層１２を形成し、隠蔽情報層１２に印刷された全ての抽選パターンの夫々の領域に、抽選券の真偽を判定する真偽判定用パターンを印刷するものである。
【００４０】
（抽選券の実施形態）
図２及び図３を用いて本発明の抽選券の具体例を説明する。
【００４１】
図２（ａ）は、抽選券１０を基材１１の隠蔽情報層１２等を有する側から見た正面図であり、図２（ｂ）〜（ｄ）は、図２（ａ）の抽選券１０の隠蔽層１３を削って剥離した後の隠蔽情報層１２を示す図である。なお、本実施形態で説明する抽選券は、図１（ｂ）と同様の層構成を有する抽選券１０ｂである。
【００４２】
抽選券１０ｂは、図２（ａ）に示すように、外観は、基材１１上の透明保護層１４上に形成された隠蔽層１３が確認でき、該隠蔽層１３を剥離すると、例えば、図２（ｂ）に示すように、隠蔽情報層１２に印刷された抽選パターンが表れる。同図に示す例は、３つの抽選パターン「Ａ」からなる「ＡＡＡ」が表れる。
【００４３】
そして、抽選パターン毎に印刷される真偽判定用パターンは、あたり・はずれのくじであれば「あたり」、「はずれ」毎に異なるパターンで構成され、例えば、図２（ｂ）に示すように、抽選パターンが「Ａ」「Ａ」「Ａ」の組み合わせにて「あたり」となるくじにおいて、当たり券の各抽選パターン「Ａ」には“○”の真偽判定用パターンが印刷される。同じ抽選パターン「Ａ」を有するくじであっても、図２（ｃ）に示すように、抽選パターンが「Ａ」「Ａ」「Ｂ」であるような「はずれ」となるくじにおいは、各抽選パターン「Ａ」「Ａ」「Ｂ」には、“△”の真偽判定用パターンが印刷される。
【００４４】
当たり券に印刷される真偽判定用パターンと、はずれ券に印刷される真偽判定用パターンの内容（○か△かなど）は、抽選券と商品や景品等の引き換えをする引換所や管理所など、くじを発行した発行人によって管理されている。そして、該真偽判定用パターンに基づいて、抽選券の「あたり」「はずれ」を判定する。
【００４５】
従って、例えば、図２（ｃ）のようなはずれ券の抽選パターン「Ａ」「Ａ」「Ｂ」のうち、抽選パターン「Ｂ」の領域のみを剥がし、この領域に、同様に他のはずれ券（図示せず）から抽選パターン「Ａ」の領域を切り剥がして、あたかも抽選パターンが「Ａ」「Ａ」「Ａ」の当たり券であるかの如くくじの偽造を行なったとしても、このような抽選パターン「Ａ」には、真の当たり券に印刷された真偽判定用パターン“○”とは異なる“△”が印刷されているため、偽造くじであることが容易に判定可能となる。さらに、発行人が当たり券に印刷された真偽判定用パターンが何であるかを非公表とすれば、偽造防止効果を向上させることもできる。
【００４６】
なお、真偽判定用パターンを、抽選パターンの部位に配置した構成について説明したが、本発明における真偽判定用パターンの配置位置は、抽選パターンの部位に限定されるものではない。例えば、各真偽判定用パターンを、各抽選パターンが印刷された領域中（図２（ｄ）点線参照。）に配置するよう構成してもよい。
【００４７】
さらに、他の実施形態として、各真偽判定用パターンの組み合わせにより、抽選券の真偽を判定するよう構成してもよい。具体的には、当たり券の抽選パターンに対応する各真偽判定用パターンの組み合わせ配列を予め決めておく。そして、抽選パターンに対応する真偽判定用パターンが、これと同じ組み合わせの場合にのみ、抽選券が真の当たり券であると判定することができる。
【００４８】
図３（ａ）は、真偽判定用パターンの組み合わせにより、抽選券の真偽を判定する抽選券１０ｂを示す図であり、図３（ｂ）は、くじを発行した発行人によって管理される当たり券の真偽判定用パターン組み合わせの一例である。
【００４９】
図３（ａ）の抽選券１０ｂは、予め決められた組み合わせ（１）「ａ」「ｚ」「ｅ」と同じ配列の真偽判定用パターンを有するため、真の当たり券であると判定することができる。
【００５０】
上述した実施形態の他、例えば、真偽判定用パターンを色によって真偽を区別してもよい。例えば、当たり券の抽選パターンには、真偽判定用パターンとして赤色の“○”を用い、一方、はずれ券の抽選パターンには、真偽判定用パターンとして赤色とは異なる色（例えば青色や黄色）の“○”を用いればよい。
【図面の簡単な説明】
【００５１】
【図１】本発明の各抽選券の断面図を示す。
【図２】（ａ）は本発明の実施形態の抽選券の正面図、（ｂ）〜（ｄ）は隠蔽層を剥がした状態の正面図の実施例を示す。
【図３】（ａ）は本発明の他の実施形態の抽選券の正面図、（ｂ）は当たり券の真偽判定用パターン組み合わせの一例である。
【符号の説明】
【００５２】
１０ａ、１０ｂ…抽選券
１１…基材
１２…隠蔽情報層
１３…隠蔽層
１４…透明保護層
１５…剥離層
【図１】
2008137252.tif 000003
【図２】
2008137252.tif 000004
【図３】
2008137252.tif 000005